(57)【要約】      （修正有）【課題】分紙ローラーにある角度の回転を主動的に時計回りに行わせて分紙ローラーの寿命を延長できる回転機構を提供する。【解決手段】回転機構は、内歯車１０、外歯車２０、駆動部材３０、弾性部材４０、及び外殻５０を有し、内歯車には案内ブロックを設置し、外歯車は内歯車外に設置され、外殻の内表面には円柱体を突出設置し、円柱体の外表面にはネジヤマを有する案内槽を開設し、内歯車と外歯車は円柱体の外に、前後に移動できるように取り付け、弾性部材の一端は外殻内に押圧し、反対端は内歯車に押圧する。駆動部材は外殻末端に設置され、分紙ローラーが駆動部材を連動して逆時計回りの回転を行わせると、外歯車と内歯車が押圧され、前方へと弾性部材を圧迫する。分紙動作が終了すると、弾性部材は元通りに内歯車と外歯車を後方へと押し、駆動部材が連動して逆時計回りより大きい角度で時計回りに回転する。同じ場所を摩擦し続けないため、分紙ローラーの寿命が延びる。【選択図】図２
0003196377.tif 000002
【実用新案登録請求の範囲】
【請求項１】
分紙ローラーにある角度の回転を主動的に時計回りに行わせられる回転機構であって、内歯車、外歯車、駆動部材、弾性部材、及び外殻を有し、
前記内歯車の内壁には、案内ブロックを突出するように設置し、前記内歯車の末端には、後方へ向う後歯車を設置し、
前記外歯車は、前記内歯車外に設置され、前記外歯車は、外ラチェット、前ラチェットを有し、その末端縁には、複数の係止ブロックを後方へと突出するように設置し、隣り合う前記係止ブロック間には、可動槽を形成し、前記係止ブロックの片側壁には、斜面を形成し、もう一方の側壁には、垂直の係止面を形成し、
前記駆動部材は、基板を有し、前記基板前表面は、前記内歯車の後歯部に対応し、前歯車を、前方へと突出するように設置し、前記基板前表面は、前記前歯車外周において、前記外歯車の係止ブロックに対応し、複数の押圧ブロックを前方へと突出するように設置し、
前記弾性部材は、前記内歯車上に設置し、
前記外殻の底壁は、前記外殻内において、中空の円柱体を後方へと突出するように設置し、前記円柱体外表面には、前記内歯車の案内ブロックに対応し、ネジヤマを有する案内槽を開設し、前記外殻の底壁は、前記円柱体外周において、前記外歯車の前ラチェットに対応し、後ラチェットを後方へと突出するように設置し、前記外殻外表面には、開口を貫通するように開設し、前記開口の片側縁は、反対側へと延長して、前記外殻の外表面と曲線率が一致する係止板を形成し、前記係止板の自由端は、前記外殻内に進入し、
前記内歯車は、前記外歯車内に取り付けられ、前記外殻は、前記内歯車、前記外歯車、前記駆動部材、前記弾性部材外を包んで覆い、前記内歯車及び前記外歯車は、前記外殻の円柱体外に、前後に移動できるように取り付け、且つ前記内歯車の案内ブロックは、前記円柱体の案内槽内に収容設置され、
前記弾性部材は、前記円柱体一端を貫通して、前記外殻の底壁に押圧し、反対端は、前記内歯車に押圧し、前記駆動部材は、前記外殻末端に取り付けられ、前記押圧ブロックは、前記外歯車の可動槽内に収容設置され、前記外殻の係止板端部は、前記外歯車の外ラチェット上に押圧されることを特徴とする分紙ローラーにある角度の回転を主動的に時計回りに行わせられる回転機構。
【請求項２】
前記外殻内側表面末端には、取り付け槽を外へと陥没するように形成し、
前記取り付け槽の槽壁は、複数の係合保持ブロックを内へと突出するように設置し、
前記複数の係合保持ブロックの先端と、前記取り付け槽の前側槽壁との間には、係合保持槽を形成し、
前記駆動部材の基板外側縁は、係合保持部を外へと突出するように形成し、前記駆動部材の係合保持部は、前記外殻の係合保持槽内に取り付けられることを特徴とする請求項１に記載の分紙ローラーにある角度の回転を主動的に時計回りに行わせられる回転機構。
【請求項３】
前記複数の係合保持ブロックの内表面は、前記外殻末端面から徐々に前方且つ内側へと延長する案内斜面であることを特徴とする請求項２に記載の分紙ローラーにある角度の回転を主動的に時計回りに行わせられる回転機構。
【請求項４】
前記内歯車の先端縁には、環状固定保持部を外へと突出するように設置し、
前記固定保持部内表面には、収容設置槽を外へと陥没するように設置し、
前記弾性部材の一端は、前記収容設置槽内において、前記収容設置槽の後槽壁に押圧することを特徴とする請求項１に記載の分紙ローラーにある角度の回転を主動的に時計回りに行わせられる回転機構。
【請求項５】
前記外歯車の先端内側壁には、前記固定保持槽を外へと陥没するように形成し、
前記内歯車の固定保持部は、前記外歯車の固定保持槽内に係合されることを特徴とする請求項４に記載の分紙ローラーにある角度の回転を主動的に時計回りに行わせられる回転機構。
【請求項６】
前記駆動部材の基板後表面には、複数の取り付けブロックを後方へと突出するように設置し、これにより分紙ローラーの上に取り付けられることを特徴とする請求項１に記載の分紙ローラーにある角度の回転を主動的に時計回りに行わせられる回転機構。
【請求項７】
前記弾性部材は、バネであることを特徴とする請求項１に記載の分紙ローラーにある角度の回転を主動的に時計回りに行わせられる回転機構。
【考案の詳細な説明】
【技術分野】
【０００１】
本考案はコピー機に応用する回転機構で、特に分紙ローラーにある角度の回転を主動的に時計回りに行わせられる回転機構に関する。
【背景技術】
【０００２】
テクノロジーの発展に従い、コピー機は我々の日常生活において、ますます重要になってきている。コピー機の分紙機構は、おおよそ以下の２種に分けられる。
【０００３】
一つは、摩擦片を利用し分紙するもので、分紙機構はバネをさらに有する。摩擦片は、バネにより、正圧力を提供あれ、こうして分紙機能を実現する。もう一つは、トルクリミッターに分紙ローラー加え、分紙を行うものである。
【考案の概要】
【考案が解決しようとする課題】
【０００４】
しかしながら、上記した従来の構造の内の一つ目の分紙機構は、摩擦力が高いため、摩損が生じ易く、紙の速度が速ければ速いほど損耗も激しくなるという欠点があり、このタイプの分紙機構は損耗が速く、使用寿命が短い。また、上記した従来の構造の内の二つ目の分紙機構は、トルクリミッターが摩損を分担できるため、一つ目の分紙機構に比べ、使用寿命は長く、コピー機により広く応用されているが、それでもやはり、摩損は存在する。
【課題を解決するための手段】
【０００５】
本考案は分紙ローラーの使用寿命を延長できる分紙ローラーにある角度の回転を主動的に時計回りに行わせられる回転機構に関する。
【０００６】
本考案による分紙ローラーにある角度の回転を主動的に時計回りに行わせられる回転機構であって、分紙ローラー上に設置し、内歯車、外歯車、駆動部材、弾性部材、及び外殻を有する。
該内歯車の内壁には、案内ブロックを突出するように設置し、該内歯車の末端には、後方へ向う後歯車を設置する。
該外歯車は、該内歯車外に設置され、該外歯車は、外ラチェット、前ラチェットを有し、その末端縁には、複数の係止ブロックを後方へと突出するように設置する。
隣り合う該係止ブロック間には、可動槽を形成し、該係止ブロックの片側壁には、斜面を形成し、もう一方の側壁には、垂直の係止面を形成する。
該駆動部材は、基板を有し、該基板前表面は、該内歯車の後歯部に対応し、前歯車を、前方へと突出するように設置し、該基板前表面は、該前外歯車の係止ブロックに対応し、複数の押圧ブロックを前方へと突出するように設置する。
該弾性部材は、該内歯車上に設置する。
該外殻の底壁は、該外殻内において、中空の円柱体を後方へと突出するように設置し、該円柱体外表面には、該内歯車の案内ブロックに対応し、ネジヤマを有する案内槽を開設し、該外殻の底壁は、該円柱体外周において、該外歯車の前ラチェットに対応し、後ラチェットを後方へと突出するように設置する。
該外殻外表面には、開口を貫通するように開設し、該開口の片側縁は、反対側へと延長して、該外殻の外表面と曲線率が一致する係止板を形成し、該係止板の自由端は、該外殻内に進入する。
該内歯車は、該外歯車内に取り付けられ、該外殻は、該内歯車、該外歯車、該駆動部材、該弾性部材外を包んで覆い、該内歯車及び該外歯車は、該外殻の円柱体外に、前後に移動できるように取り付け、且つ該内歯車の案内ブロックは、該円柱体の案内槽内に収容設置される。
該弾性部材は、該円柱体一端を貫通して、該外殻の底壁に押圧し、反対端は、該内歯車に押圧し、該駆動部材は、該外殻末端に取り付けられ、該押圧ブロックは、該外歯車の可動槽内に収容設置され、該外殻の係止板端部は、該外歯車の外ラチェット上に押圧される。
【０００７】
本考案による分紙ローラーにある角度の回転を主動的に時計回りに行わせられる回転機構であって、該内歯車の内壁には、案内ブロックを突出するように設置する。
該外殻の円柱体の外表面に、該案内ブロックに対応して、螺旋状案内槽を開設する。
駆動部材が逆時計回りにある角度の回転を行うと、駆動部材の押圧ブロックは、外歯車の斜面を押圧し、これを前方へと運動させ、内歯車を連動し、前方へと弾性部材を圧迫させる。
該内歯車の案内ブロックは、円柱体の案内槽内で回転し、該外歯車の前ラチェットが、該外殻の後ラチェット上に係合して固定するまで、前方へと運動する。
該弾性部材は回復し、該内歯車を押して後方へと運動させる。
該内歯車の案内ブロックは、該円柱体の案内槽内で、時計回りに後方へと運動する。
該内歯車は外歯車を連動し後方へと運動させる。
該外歯車の係止ブロックの斜面は、駆動部材の押圧ブロックを押圧し、該駆動部材は時計回りに回転する。
該弾性部材が、内歯車を押し続け後方へと運動させ、後歯部と駆動部材の前歯車がかみ合うと、該内歯車は時計回りに回転を継続し、内歯車は外歯車を一緒に押して後方へと継続して運動させ、該内歯車の後歯部と該駆動部材の前歯車とは噛み合い、駆動部材を連動いて時計回りに回転させる。
よって、該駆動部材の逆時計回り回転の角度は、該外歯車の斜面の前後長さと正比例する。
該弾性部材が、初期位置を回復する過程において、駆動部が時計回りに回転する角度と、該外歯車の斜面の前後長さと該前歯車の前後長さの和は、正比例する。
よって、該駆動部材の時計回りの回転は、逆時計回りの回転角度より大きい。
そのため、該駆動部材と一緒に設置される分紙ローラーは、一枚の紙を分ける度に、ある設定の角度に逆戻りし、同じところを摩擦し続けることはなく、こうして分紙ローラーの寿命を延長することができる。
【考案の効果】
【０００８】
本考案分紙ローラーにある角度の回転を主動的に時計回りに行わせられる回転機構は、分紙ローラーの使用寿命を延長することができる。
【図面の簡単な説明】
【０００９】
【図１】本考案の一実施形態による分紙ローラーにある角度の回転を主動的に時計回りに行わせられる回転機構の立体図である。
【図２】図１に示す回転機構の立体分解図である。
【図３】図１に示す回転機構の内歯車の立体図である。
【図４】図１に示す回転機構の外殻の立体図である。
【図５】図１に示す回転機構において、駆動部材を取り外した後の別の角度の立体図である。
【図６】図１に示す回転機構において、外殻を取り外した後の別の角度の立体図である。
【図７】図１に示す回転機構の断面図である。
【考案を実施するための形態】
【００１０】
以下に図面を参照しながら本考案を実施するための最良の形態について詳細に説明する。
【実施例１】
【００１１】
図１、及び図２に示すとおり本考案の実施形態による分紙ローラーにある角度の回転を主動的に時計回りに行わせられる回転機構において、回転機構は分紙ローラー（図示なし）上に設置され、内歯車１０、外歯車２０、駆動部材３０、弾性部材４０、及び外殻５０を有する。
【００１２】
図２、及び図３に示すとおり、内歯車１０の内壁には、案内ブロック１１を突出するように設置する。内歯車１０の先端縁には、環状固定保持部１２を外へと突出するように設置する。固定保持部１２内表面には、収容設置槽１３を外へと陥没するように設置する。内歯車１０の末端には、後方へ向う後歯車１４を設置する。
【００１３】
図２に示すように、外歯車２０は、内歯車１０外に設置される。外歯車２０は、外ラチェット２１、前ラチェット２２を有し、その末端縁には、複数の係止ブロック２３を後方へと突出するように設置する。隣り合う係止ブロック２３間には、可動槽２４を形成する。  係止ブロック２３の片側壁には、斜面２５を形成し、もう一方の側壁には、垂直の係止面２６を形成する。外歯車２０の先端内側壁には、固定保持槽２７を外へと陥没するように形成する。
【００１４】
続けて図２に示すように、駆動部材３０は、基板３１を有する。基板３１外側縁は、係合保持部３２を外へと突出するように形成する。基板３１前表面は、内歯車１０の後歯部１４に対応し、前歯車３３を、前方へと突出するように設置する。基板３１前表面は、前歯車３３外周において、外歯車２０の係止ブロック２３に対応し、複数の押圧ブロック３４を前方へと突出するように設置する。本実施形態において、駆動部材３０の基板３１後表面には、複数の取り付けブロック３５を後方へと突出するように設置し、これにより分紙ローラーの上に取り付けられる。
【００１５】
図２、図４、及び図５に示すとおり、外殻５０の底壁は、外殻５０内において、中空の円柱体５１を後方へと突出するように設置する。円柱体５１外表面には、内歯車１０の案内ブロック１１に対応し、ネジヤマを有する案内槽５２を開設する。外殻５０の底壁は、円柱体５１外周において、外歯車２０の前ラチェット２２に対応し、後ラチェット５３を後方へと突出するように設置する。外殻５０外表面には、開口５４を貫通するように開設する。開口５４の片側縁は、反対側へと延長して、外殻５０の外表面と曲線率が一致する係止板５５を形成する。係止板５５の自由端は、外殻５０内に進入する。外殻５０内側表面末端には、取り付け槽５６を外へと陥没するように形成する。取り付け槽５６の槽壁は、複数の係合保持ブロック５７を内へと突出するように設置する。複数の係合保持ブロック５７の内表面は、外殻５０末端面から徐々に前方且つ内側へと延長する案内斜面５７１である。複数の係合保持ブロック５７の先端と、取り付け槽５６の前側槽壁との間には、係合保持槽５８を形成する。
【００１６】
図１〜図７に示すとおり、本考案の実施形態による分紙ローラーにある角度の回転を主動的に時計回りに行わせられる回転機構を組み立てる時には、内歯車１０は、前から後へと、外歯車２０内に取り付けられる。内歯車１０の固定保持部１２は、外歯車２０の固定保持槽２７内に係合される。外殻５０は、内歯車１０、外歯車２０、駆動部材３０、弾性部材４０外を包んで覆う。内歯車１０及び外歯車２０は、外殻５０の円柱体５１外に、前後に移動できるように取り付ける。且つ内歯車１０の案内ブロック１１は、円柱体５１の案内槽５２内に収容設置される。外殻５０の係止板５５端部は、外歯車２０の外ラチェット２１上に押圧される。弾性部材４０は、円柱体５１一端を貫通して、外殻５０の底壁内に押圧し、反対端は、内歯車１０の収容設置槽１３の後槽壁に押圧する。駆動部材３０は、外殻５０末端に取り付けられる。駆動部材３０の係合保持部３２は、外殻５０の係合保持槽５８内に取り付けられる。本実施形態において、複数の係合保持ブロック５７内表面には、外殻５０末端面から前方へ且つ内側へと徐々に延長する案内斜面５７１を形成する。これにより、駆動部材３０の係合保持部３２は、案内斜面５７１をスライドし、外殻５０の係合保持槽５８内に取り付けられる。駆動部材３０の押圧ブロック３４は、外歯車２０の可動槽２４内に収容設置される。
【００１７】
本考案の実施形態による分紙ローラーにある角度の回転を主動的に時計回りに行わせられる回転機構の作動時に、分紙ローラーが一回の分紙動作を始めると、駆動部材３０を連動して逆時計回りの回転を行わせる。駆動部材３０はある角度の逆回転を逆時計周りに行う。外殻５０の係止板５５端部は、外歯車２０の外ラチェット２１上に押圧するため、外歯車２０は回転しない。駆動部材３０の押圧ブロック３４は、外歯車２０の斜面２５を押圧し、これを前方へと運動させ、内歯車１０を連動して、前方へと弾性部材４０を圧迫する。初期状態では、内歯車１０の後歯部１４と駆動部材３０の前歯車３３とは相互に噛み合う。内歯車１０は、外歯車２０の前進をとして、内歯車１０の前進を連動し、これにより内歯車１０の後歯部１４と駆動部材３０の前歯車３３との間は、相互に分離し、相互作用を生じることはない。外殻５０の案内槽５２の幅は、内歯車１０の案内ブロック１１の幅より大きいため、この時、内歯車１０と外歯車２０とは共に回転せず、前進運動だけを行う。弾性部材４０を押し続け、圧縮して弾性力を蓄えると、内歯車１０の案内ブロック１１は、円柱体５１の案内槽５２内で、回転し前方へと運動する。そのため、外殻５０は回転せず、内歯車１０の後歯部１４は、外歯車２０の前ラチェット２２が、外殻５０の後ラチェット５３上に係合して固定されるまで、駆動部材３０の前歯車３３から徐々に離れる。よって、駆動部材３０の逆時計回りの角度は、外歯車２０の斜面の前後長さと、正比例する。
【００１８】
分紙ローラーが、一度の分紙動作を終了し、駆動部材３０の逆時計回りへの回転の連動を停止すると、弾性部材４０は、弾性力を放出し、原型を回復し、内歯車１０を押して後方へと運動させる。内歯車１０の案内ブロック１１は、円柱体５１の案内槽５２内で、時計回りに回転して後方へと運動し、内歯車１０は、外歯車２０を連動して後方へと運動させる。この時、内歯車１０の回転動力は、案内槽５２により提供され、内歯車１０の後歯部１４は、駆動部材３０の前歯車３３と噛み合わない。外歯車２０の係止ブロック２３の斜面２５は、駆動部材３０の押圧ブロック３４を押し、これにより駆動部材３０は時計回りに回転する。弾性部材４０が内歯車１０を後方へと押し続け、後歯部１４と駆動部材３０の前歯車３３とが噛み合うと、内歯車１０は、時計回りに回転を続け、内歯車１０の後歯部１４と駆動部材３０の前歯車３３とは噛み合い、内歯車１０は、外歯車２０を押して一緒に後方へと継続して運動させ、内歯車１０の後歯部１４と駆動部材３０の前歯車３３とは噛み合い、駆動部材３０を連動して時計回りに回転させる。弾性部材４０が、初期位置を回復する過程において、駆動部材３０が時計回りに回転する角度と、外歯車２０の斜面２５の前後長さと前歯車３３の前後長さの和は、正比例する。よって、駆動部材３０の時計回りの回転は、逆時計回りの回転角度より大きい。
【００１９】
そのため、駆動部材３０と一緒に設置される分紙ローラーは、一枚の紙を分ける度に、ある設定の角度に逆戻りし、同じところを摩擦し続けることはない。そのため、分紙ローラーの寿命を延長することができる。
【００２０】
本実施形態において、弾性部材４０は、バネである。
【００２１】
上述のように、本考案分紙ローラーにある角度の回転を主動的に時計回りに行わせられる回転機構は、内歯車１０の内壁に案内ブロック１１を設置することで、外殻５０の円柱体５１の外表面に、案内ブロック１１に対応して、螺旋状案内槽５２を開設する。駆動部材３０が逆時計回りにある角度の回転を行うと、駆動部材３０の押圧ブロック３４は、外歯車２０の斜面２５を押圧し、これを前方へと運動させ、内歯車１０を連動し、前方へと弾性部材４０を圧迫させる。内歯車１０の案内ブロック１１は、円柱体５１の案内槽５２内で回転し、外歯車２０の前ラチェット２２が、外殻５０の後ラチェット５３上に係合して固定するまで、前方へと運動する。弾性部材４０は回復し、内歯車１０を押して後方へと運動させる。内歯車１０の案内ブロック１１は、円柱体５１の案内槽５２内で、時計回りに回転し後方へと運動する。内歯車１０は、外歯車２０を連動して、後方へと運動させる。外歯車２０の係止ブロック２３の斜面２５は、駆動部材３０の押圧ブロック３４を押し、これにより駆動部材３０は、時計回りに回転する。弾性部材４０は、内歯車１０を継続して押し、後方へと運動させる。後歯部１４と駆動部材３０の前歯車３３とが噛み合う時、内歯車１０は時計回りの回転を継続し、内歯車１０は、外歯車２０を押し一緒に後方へと運動させ続ける。内歯車１０の後歯部１４と駆動部材３０の前歯車３３とは、噛み合い、駆動部材３０を連動して時計回りに回転させる。よって、駆動部材３０の逆時計回りの角度は、外歯車２０の斜面２５の前後長さと正比例する。弾性部材４０が初期位置を回復する過程において、駆動部材３０の時計回りの回転角度と、外歯車２０の斜面２５の前後長さと前歯車３３の前後長さの和は、正比例する。よって、駆動部材３０の時計周りの回転は、逆時計周りの回転角度より大きい。そのため、駆動部材３０と一緒に設置される分紙ローラーは、紙を一枚分ける度に、設定の角度の戻りを行い、同じ場所を摩擦し続けることはないため、分紙ローラーの寿命を延長することができる。
【符号の説明】
【００２２】
１０  内歯車
１１  案内ブロック
１２  固定保持部
１３  収容設置槽
１４  後歯部
２０  外歯車
２１  外ラチェット
２２  前ラチェット
２３  係止ブロック
２４  可動槽
２５  斜面
２６  係止面
２７  固定保持槽
３０  駆動部材
３１  基板
３２  係合保持部
３３  前歯車
３４  押圧ブロック
３５  取り付けブロック
４０  弾性部材
５０  外殻
５１  円柱体
５２  案内槽
５３  後ラチェット
５４  開口
５５  係止板
５６  取り付け槽
５７  係合保持ブロック
５７１  案内斜面
５８  係合保持槽
【図１】
0003196377.tif 000003
【図２】
0003196377.tif 000004
【図３】
0003196377.tif 000005
【図４】
0003196377.tif 000006
【図５】
0003196377.tif 000007
【図６】
0003196377.tif 000008
【図７】
0003196377.tif 000009